(57)【要約】      （修正有）【課題】所望のライ角度に調整可能でありながら、ライ角度を変えても使用感が大きく異ならないゴルフ用パターを提供する。【解決手段】パターヘッド６の基台となる胴体部１０と、パターヘッドのボールインパクト面視でアーチ状に湾曲して胴体部の上方に突出する支竿部１６と、シャフト８の下端を保持すると共に支竿部を摺動可能に握持する摺動連結部とを備え、摺動連結部が、湾曲する支竿部を握持する場所によって、ライ角度を変更可能であることを特徴とする。【選択図】図１
0003193902.tif 000002
【実用新案登録請求の範囲】
【請求項１】
ライ角度を可変可能なゴルフ用パターにおいて、
パターヘッドの基台となる胴体部と、
該パターヘッドのボールインパクト面視でアーチ状に湾曲して該胴体部の上方に突出する支竿部と、
シャフトの下端を保持すると共に該支竿部を摺動可能に握持する摺動連結部とを備え、
該摺動連結部が、該湾曲する該支竿部を握持する場所によって、該ライ角度を変更可能であることを特徴とするゴルフ用パター。
【請求項２】
前記摺動連結部が、前記シャフトの下端を保持するシャフト固定部と、前記支竿部を摺動可能に握持する支竿連結部とを有し、
該支竿連結部が、
該シャフト固定部に接して設けられた基台部と、
湾曲した薄板状で内側同士が対向して該基台部の上下から略水平方向に突出する２枚の受け部と、
該２枚の受け部の間に遊嵌可能で、上下端部が該受け部の湾曲に沿った形状で、中央に左右に伸びて該支竿部が嵌合可能な溝部が穿設されたスライド板と、
該支竿部が該溝部に嵌合された状態の該スライド板を、該基台部との間で挟持して固定するクランプ板とからなることを特徴とする請求項１記載のゴルフ用パター。
【請求項３】
前記摺動連結部が、前記シャフトの下端を保持するシャフト固定部と、前記支竿部を摺動可能に握持する支竿連結部とを有し、
該シャフト固定部が、
下方向に向かって縮径するように上下方向に伸びる固定穴が穿設されたシャフト固定部本体と、
前記シャフトの下端から一部が突出するように該シャフトの挿嵌固定されるシャフト継手と、
該固定穴に該シャフト継手が突出する該シャフトの下端を挿嵌した状態で、該シャフト継手の該シャフトから突出する部分を該シャフト固定部本体に固定するシャフト継手固定手段とからなることを特徴とする請求項１記載のゴルフ用パター。
【請求項４】
前記パターヘッドが、水平方向に伸びる軸で前記胴体部に軸支されて、前記ボールインパクト面とグリーン面とのなす角度を変更可能であることを特徴とする請求項１〜請求項３のいずれかに記載のゴルフ用パター。
【考案の詳細な説明】
【技術分野】
【０００１】
本考案は、ライ角度を可変可能なゴルフ用パターに関する。
【背景技術】
【０００２】
従来より、ゴルフ用パターでライ角度を可変可能なものがいくつか提案されている。例えば、特許文献１のゴルフ用パターは、シャフトとネック部分の接続をボルト締めにする事によってライ角の調整ができ、右打ち・左打ちの兼用も出来る事を特徴としている。
【先行技術文献】
【特許文献】
【０００３】
【特許文献１】実用新案登録第３０１１５９４号公報
【考案の概要】
【考案が解決しようとする課題】
【０００４】
しかしながら、従来のゴルフ用パターでは、シャフトとネック部分の接続位置を変えることなく、単にライ角度を、シャフトとネック部分の接続における単純な角度で変えているに過ぎないことから、ライ角度を変えたときに、使用感が大きく異なってしまう。
【０００５】
本考案は、このような事情に鑑みてなされたもので、所望のライ角度に調整可能でありながら、ライ角度を変えても使用感が大きく異ならないゴルフ用パターを提供することにある。
【課題を解決するための手段】
【０００６】
請求項１記載のゴルフ用パターは、パターヘッドの基台となる胴体部と、パターヘッドのボールインパクト面視でアーチ状に湾曲して胴体部の上方に突出する支竿部と、シャフトの下端を保持すると共に支竿部を摺動可能に握持する摺動連結部とを備え、摺動連結部が、湾曲する支竿部を握持する場所によって、ライ角度を変更可能であることを特徴とする。
【０００７】
請求項２記載のゴルフ用パターは、摺動連結部が、シャフトの下端を保持するシャフト固定部と、支竿部を摺動可能に握持する支竿連結部とを有し、支竿連結部が、シャフト固定部に接して設けられた基台部と、湾曲した薄板状で内側同士が対向して基台部の上下から略水平方向に突出する２枚の受け部と、２枚の受け部の間に遊嵌可能で、上下端部が受け部の湾曲に沿った形状で、中央に左右に伸びて支竿部が嵌合可能な溝部が穿設されたスライド板と、支竿部が溝部に嵌合された状態のスライド板を、基台部との間で挟持して固定するクランプ板とからなることを特徴とする。
【０００８】
請求項３記載のゴルフ用パターは、摺動連結部が、シャフトの下端を保持するシャフト固定部と、支竿部を摺動可能に握持する支竿連結部とを有し、シャフト固定部が、下方向に向かって縮径するように上下方向に伸びる固定穴が穿設されたシャフト固定部本体と、シャフトの下端から一部が突出するようにシャフトの挿嵌固定されるシャフト継手と、固定穴にシャフト継手が突出するシャフトの下端を挿嵌した状態で、シャフト継手のシャフトから突出する部分をシャフト固定部本体に固定するシャフト継手固定手段とからなることを特徴とする。
【０００９】
請求項４記載のゴルフ用パターは、パターヘッドのフェイス部が、水平方向に伸びる軸で胴体部に軸支されて、ボールインパクト面とグリーン面とのなす角度を変更可能であることを特徴とする。
【考案の効果】
【００１０】
本考案によれば、摺動連結部が、湾曲する支竿部を握持する場所によって、ライ角度を変更可能であることことから、所望のライ角度に調整可能でありながら、ライ角度を変えても使用感が大きく異ならない。
【図面の簡単な説明】
【００１１】
【図１】本考案に係るゴルフ用パターの一例を示す斜視図である。
【図２】同ゴルフ用パターの正面図である。
【図３】同ゴルフ用パターの側面図である。
【図４】同ゴルフ用パターの背面図である。
【図５】同ゴルフ用パターの分解図である。
【図６】同ゴルフ用パターの部分縦断面図である。
【考案を実施するための形態】
【００１２】
以下、本考案の形態について図面を参照しながら具体的に説明する。図１は、本考案に係るゴルフ用パターの一例を示す斜視図である。図２は、同ゴルフ用パターの正面図である。図３は、同ゴルフ用パターの側面図である。図４は、同ゴルフ用パターの背面図である。図５は、同ゴルフ用パターの分解図である。図６は、同ゴルフ用パターの部分縦断面図である。
【００１３】
図におけるゴルフ用パター１は、パターヘッド６、シャフトネック３０及びシャフト８から構成される。パターヘッド６は、ボールをヒットするインパクト面部材２２が埋め込まれた横長の厚板状のフェイス部２０と、胴体部１０とから構成されている。胴体部１０は、パターヘッド６のボールインパクト面視で、横方向に伸びる略長方形の厚板材である本体部１２と、その下方から後方に略Ｌ字状に伸びる厚板材である下面部１４から構成されている。尚、下面部１４には、ハート状の穴が穿設されている。
【００１４】
また、本体部１２と下面部１４との間の両脇の部分には、軸支片１８が起立しており、軸支片１８にフェイス部２０の両脇から後方に突出するフェイス固定具２４が、ネジ２６を介して軸支されている。さらに、パターヘッド６のボールインパクト面視でアーチ状に湾曲して胴体部１０の上方に突出する支竿部１６を有している。尚、胴体部１０と支竿部１６とが一体で形成されているが、必ずしも一体である必要はない
【００１５】
シャフトネック３０は、シャフト８の下端を保持すると共に支竿部１６に摺動可能に握持する摺動連結部である。シャフトネック３０は、シャフト８の下端を保持するシャフト固定部３２と、支竿部１６を摺動可能に握持する支竿連結部３４とを有している。そして、支竿連結部３４は、シャフト固定部３２に接して設けられた基台部３６と、湾曲した薄板状で内側同士が対向して基台部３６の上下から略水平方向に突出する２枚の受け部３４ａと、２枚の受け部３４ａの間に遊嵌可能で、上下端部が受け部３４ａの湾曲に沿った形状で、中央に左右に伸びて支竿部１６が嵌合可能な溝部４０ａが穿設されたスライド板４０と、支竿部１６が溝部４０ａに嵌合された状態のスライド板４０を、基台部３６との間で挟持して固定するクランプ板４２とからなる。
【００１６】
シャフトネック３０を、支竿部１６に固定するときは、まず、スライド板４０を支竿連結部３４の２枚の受け部３４ａの間に嵌め込み、スライド板４０の溝部４０ａに支竿部１６が嵌合するように、支竿部１６に添わせる。次に、支竿部１６を、スライド板４０とクランプ板４２との間に挟むようにして、クランプ板４２のネジ貫通穴４２ａにネジ４４を挿入し、スライド板４０の長穴４０ｂを抜けたネジ４４を、基台部３６のネジ穴３６ａに螺嵌する。これにより、摺動連結部であるシャフトネック３０が、支竿部１６を摺動可能に握持することになる。
【００１７】
尚、ゴルフ用パター１のライ角度を変更したい場合には、摺動連結部であるシャフトネック３０のネジ４４を緩め、シャフトネック３０が支竿部１６を摺動可能な状態にし、シャフトネック３０を支竿部１６上を摺動させ、所望のライ角度になる場所で、再びネジ４４を締めて、シャフトネック３０の位置を固定させることにより、ライ角度を変更する。
【００１８】
また、摺動連結部であるシャフトネック３０のシャフト固定部３２は、下方向に向かって縮径するように上下方向に伸びる固定穴３２ｂが穿設されたシャフト固定部本体３２ａと、シャフト８の下端から一部が突出するようにシャフト８に挿嵌固定されるシャフト継手５０と、固定穴３２ｂにシャフト継手５０が突出するシャフト８の下端を挿嵌した状態で、シャフト継手５０のシャフト８から突出する部分をシャフト固定部本体３２ａに固定するシャフト継手固定手段であるネジ５２とからなる。
【００１９】
シャフト８を、シャフトネック３０に固定するときは、まず、円筒状のシャフト継手５０を、シャフト８の下端に挿嵌し、シャフト８の下端から一部が突出するようにする。次に、シャフト継手５０が突出するシャフト８の下端を、固定穴３２ｂに挿嵌し、シャフト固定部本体３２ａの下方向から挿入されたネジ５２を、シャフト継手５０の下端に螺挿するとこで、シャフト継手５０を、シャフト固定部３２（シャフト固定部本体３２ａ）に固定する。
【００２０】
以上のような構成のゴルフ用パター１によれば、摺動連結部であるシャフトネック３０が、湾曲する支竿部１６を握持する場所によって、ライ角度を変更可能であることから、シャフトとネック部分の接続位置を変えることなく、単にライ角度を、シャフトとネック部分の接続における単純な角度で変える場合に比べ、ライ角度を変えても使用感が大きく異ならないようにすることができる。
【００２１】
また、支竿部１６を、スライド板４０とクランプ板４２との間に挟むようにして、摺動連結部であるシャフトネック３０が、支竿部１６を摺動可能に握持することで、ライ角度を変更したい場合に、容易にシャフトネック３０を支竿部１６上で摺動でき、きめ細かくライ角度を調整することが可能である。
【００２２】
また、シャフト８をシャフトネック３０に固定するときは、シャフト継手５０を、シャフト８の下端に挿嵌し、シャフト８の下端から一部が突出するようにした上で、シャフト８の下端を、固定穴３２ｂに挿嵌し、シャフト固定部本体３２ａの下方向から挿入されたネジ５２を、シャフト継手５０の下端に螺挿するとこで、シャフト継手５０を、シャフト固定部３２（シャフト固定部本体３２ａ）に固定するような構造にすることで、パターヘッド６を交換することも比較的容易に可能である。
【００２３】
さらに、パターヘッドのフェイス部２０（インパクト面部材２２）を、水平方向に伸びる軸で胴体部１０に軸支し、ボールインパクト面とグリーン面とのなす角度を変更可能にすることにより、ゴルフ用パター１の使用感を向上させることが可能である。
【産業上の利用可能性】
【００２４】
本考案により、所望のライ角度に調整可能でありながら、ライ角度を変えても使用感が大きく異ならないゴルフ用パターを提供することができる。
【符号の説明】
【００２５】
１・・・・・ゴルフ用パター
６・・・・・パターヘッド
８・・・・・シャフト
１０・・・・胴体部
１２・・・・本体部
１４・・・・下面部
１６・・・・支竿部
１８・・・・軸支片
２０・・・・フェイス部
２２・・・・インパクト面部材
２４・・・・フェイス固定具
２６・・・・ネジ
２８・・・・ネジ
３０・・・・シャフトネック
３２・・・・シャフト固定部
３２ａ・・・シャフト固定部本体
３２ｂ・・・固定穴
３４・・・・支竿連結部
３４ａ・・・受け部
３６・・・・基台部
３６ａ・・・ネジ穴
４０・・・・スライド板
４０ａ・・・溝部
４０ｂ・・・長穴
４２・・・・クランプ板
４２ａ・・・ネジ貫通穴
４４・・・・ネジ
５０・・・・シャフト継手
５２・・・・ネジ
【図１】
0003193902.tif 000003
【図２】
0003193902.tif 000004
【図３】
0003193902.tif 000005
【図４】
0003193902.tif 000006
【図５】
0003193902.tif 000007
【図６】
0003193902.tif 000008